(57)【特許請求の範囲】
【請求項１】
電動駆動されるズームレンズ鏡枠を有し、基準位置からの操り出し量で焦点距離を検出するようにしたズーム付きカメラに於いて、
カメラ操作されていない時間を計測する計時手段と、
カメラの電源をオン、オフするパワースイッチと、
上記パワースイッチの出力に応じてカメラの電源状態を制御する電源制御手段と、
上記計時手段の出力に応じてカメラをオートパワーオフ状態へ遷移させるオートパワーオフ手段と、
を有し、
上記電源制御手段によってパワーオフ状態へ遷移する場合は上記ズームレンズ鏡枠を沈胴方向へ沈胴までの駆動量分だけ高速で繰り込み駆動することにより上記基準位置へ移動させ、上記オートパワーオフ手段によってオートパワーオフ状態へ遷移する場合は上記ズームレンズ鏡枠を移動させず、上記オートパワーオフ状態からパワーオン状態へ復帰する際は、一度上記ズームレンズ鏡枠を沈胴方向へ、上記電源制御手段によってパワーオフ状態へ遷移する場合の速度よりも低速で駆動し、駆動モータのロックにより基準位置に到着したと判別して駆動を停止することにより上記基準位置に移動させてから撮影可能な所定のズーム位置へ繰り出すことを特徴とするズームレンズ付きカメラ。
【発明の詳細な説明】
【０００１】
【発明の属する技術分野】
この発明は、鏡枠を電動で駆動することができるズームカメラに関するものである。
【０００２】
【従来の技術】
従来、この種のズームカメラは、電源スイッチをオンにすることにより、鏡枠を収納位置から繰り出して撮影可能な位置へと移動し、電源スイッチをオフにすることにより、収納位置へ駆動してから省電力モード（パワーオフモード）に移行するのが一般的である。また、所定時間以上カメラ操作が行われない場合は、カメラの消費電流を最小とする省電力モードへ移行するカメラが提案されている。
【０００３】
【発明が解決しようとする課題】
しかしながら、このような省電力モードを有するカメラでは、鏡枠は、長時間特定の位置に保持された状態である。したがって、省電力モード中に鏡枠が外力によって繰り込まれしまったり、或いは引っ張り出されたりすると、パワーオフ前のズーム位置とパワーオン後のズーム位置が異なってしまうため、省電力モードから復帰した後のズーム制御に於いてズームレンズの現在位置が不明になるという不都合が生じる。
【０００４】
この発明は上記実状に鑑みてなされたものであり、パワーオフ状態から復帰するときの鏡枠制御を不都合なく正常に行わせることができるズームレンズ付きカメラを提供することを目的とする。
【０００５】
【課題を解決するための手段】
すなわちこの発明は、電動駆動されるズームレンズ鏡枠を有し、基準位置からの操り出し量で焦点距離を検出するようにしたズーム付きカメラに於いて、カメラ操作されていない時間を計測する計時手段と、カメラの電源をオン、オフするパワースイッチと、上記パワースイッチの出力に応じてカメラの電源状態を制御する電源制御手段と、上記計時手段の出力に応じてカメラをオートパワーオフ状態へ遷移させるオートパワーオフ手段と、を有し、上記電源制御手段によってパワーオフ状態へ遷移する場合は上記ズームレンズ鏡枠を沈胴方向へ沈胴までの駆動量分だけ高速で繰り込み駆動することにより上記基準位置へ移動させ、上記オートパワーオフ手段によってオートパワーオフ状態へ遷移する場合は上記ズームレンズ鏡枠を移動させず、上記オートパワーオフ状態からパワーオン状態へ復帰する際は、一度上記ズームレンズ鏡枠を沈胴方向へ、上記電源制御手段によってパワーオフ状態へ遷移する場合の速度よりも低速で駆動し、駆動モータのロックにより基準位置に到着したと判別して駆動を停止することにより上記基準位置に移動させてから撮影可能な所定のズーム位置へ繰り出すことを特徴とする。
【０００６】
この発明は、電動駆動されるズームレンズ鏡枠を有し、基準位置からの操り出し量で焦点距離を検出するようにしたズーム付きカメラに於いて、カメラ操作されていない時間が計時手段で計測される。カメラの電源はパワースイッチによってオン、オフされ、上記パワースイッチの出力に応じてカメラの電源状態が電源制御手段で制御される。また、上記計時手段の出力に応じて、オートパワーオフ手段によってカメラがオートパワーオフ状態へ遷移される。そして、上記電源制御手段によってパワーオフ状態へ遷移する場合は上記ズームレンズ鏡枠が沈胴方向へ沈胴までの駆動量分だけ高速で繰り込みされることにより上記基準位置へ移動され、上記オートパワーオフ手段によってオートパワーオフ状態へ遷移する場合は上記ズームレンズ鏡枠が移動されず、上記オートパワーオフ状態からパワーオン状態へ復帰する際は、一度上記ズームレンズ鏡枠が、沈胴方向へ、上記電源制御手段によってパワーオフ状態へ遷移する場合の速度よりも低速で駆動され、駆動モータのロックにより基準位置に到着したと判別されて駆動が停止されることにより上記基準位置に移動されてから撮影可能な所定のズーム位置へ繰り出される。
【０００７】
【発明の実施の形態】
以下、図面を参照してこの発明の実施の形態を説明する。
【０００８】
図１は、この発明の一実施の形態に係るカメラの電気的構成を示すブロック図である。
【０００９】
図１に於いて、ＣＰＵ１は、この実施の形態のカメラ全体の制御を司る制御手段としてのマイクロコンピュータである。そして、このＣＰＵ１には、測距回路２と、測光回路３と、ズーミング駆動回路４と、ズーミング駆動信号検出回路５と、フォーカシング駆動回路６と、フォーカシング駆動信号検出回路７と、シャッタ駆動回路８と、シャッタ駆動信号検出回路９と、フィルム給送駆動回路１２と、フィルム移動量検出回路１３と、フィルム情報検出回路１４と、ＬＣＤ１５と、ストロボ回路１６と、ＥＥＰＲＯＭ１８及びＥＸＴ端子１９と、後述する各種操作スイッチが接続されている。
【００１０】
上記測距回路２には、赤外発光ダイオード２１及び受光素子２５が接続されている。そして、上記赤外発光ダイオード２１からの光が投光レンズ２２を介して被写体２３に照射され、更に該被写体２３からの反射光が受光レンズ２４を介して受光素子２５にて受光されることにより、カメラから被写体までの距離が、三角測距の原理に従って測定される。
【００１１】
上記測光回路３には、受光素子２７が接続されている。この受光素子２７に測光レンズ２８を介して被写体付近の光量が入射され、測光回路３で測定されることにより、露出条件を決定するための被写体輝度が測定される。
【００１２】
上記ズーミング駆動回路４は、ズーム駆動手段として、上記ＣＰＵ１からの制御によってズームモータ（Ｍ）３０を駆動するものである。このズームモータ３０から、図示されないギヤ列を介して、図示されない変倍光学系に回転力が伝達されることで、ズーミングが行われる。これにより、図示されない鏡枠が駆動される。
【００１３】
また、上記ズーミング駆動信号検出回路５は、上記ズームモータ３０の回転量に対応したパルス信号を生成し、ＣＰＵ１へ該パルス信号を伝達するためのものである。上記ＣＰＵ１は、このパルス信号を上記鏡枠の基準位置（沈胴位置）からカウントすることで、上記ズームレンズの焦点距離を検出する。
【００１４】
上記フォーカシング駆動回路６は、フォーカス駆動手段として、ＣＰＵ１からの制御によってフォーカシングモータ（Ｍ）３１を駆動するものである。このフォーカシングモータ３１から、図示されないギヤ列を介して、図示されない合焦光学系に回転力が伝達されることにより、フォーカシングが行われる。
【００１５】
上記フォーカシング駆動信号検出回路７では、上記フォーカシングモータ３１の回転量に対応したパルス信号が生成されて、ＣＰＵ１へ該パルス信号が伝達される。上記ＣＰＵ１では、このパルス信号の数と周期とが検出されることで、フォーカシングレンズを合焦位置に正確に停止させるための制御が行われる。
【００１６】
上記シャッタ駆動回路８は、露光手段として、上記ＣＰＵ１からの制御によって、図示されないシャッタを駆動するためのプランジャ（ＰＬ）３２への通電制御を行うものである。該プランジャ３２への通電時間が、上記ＣＰＵ１によって制御されることにより、露光量の制御が行われる。
【００１７】
また、上記シャッタ駆動信号検出回路９では、上記プランジャ３２への通電時間を制御するための基準タイミングが、図示されないシャッタ動作に連動して生成されている。
【００１８】
上記フィルム給送駆動回路１２は、フィルム給送手段として、上記ＣＰＵ１からの制御によってフィルム給送モータ（Ｍ）３３を駆動するもので、フィルムの巻き上げ、巻き戻しを行う。上記フィルム移動量検出回路１３では、図示されないフィルムに形成されたパーフォレーションを検出することにより、フィルムの給送状態が検知される。
【００１９】
上記フィルム情報検出回路１４には、フイルムカートリッジ３５に設けられたＩＳＯ感度情報を読み取る。
【００２０】
上記ＬＣＤ１５は、カメラのモード表示、駒数表示等を行う外部表示手段である。上記ストロボ回路１６には、露出を適正に保つため、被写体を照明するための、光源であるキセノン（Ｘｅ）管３６と、照明のための電気的エネルギーを蓄積するメインコンデンサ３７が接続されている。
【００２１】
上記ＥＥＰＲＯＭ１８は、カメラを制御する上で必要なパラメータやカメラ状態を記憶するための、記憶手段としての不揮発性メモリである。更に、上記ＥＸＴ端子１９は、カメラ動作や性能保証のために、製造時に行われる各種調整を実行する際に、カメラを外部から制御するための、通信手段としての外部通信端子である。
【００２２】
上述した各種スイッチは、入力手段として機能別に設けられている。
【００２３】
パワースイッチ（ＰＷＳＷ）４０は、カメラの電源オン、オフを行うためのスイッチである。該スイッチのオン状態が電源オンであることを示し、オフ状態が電源オフ状態であることを示す。
【００２４】
後蓋スイッチ（ＢＫＳＷ）４１は、フィルムの装填、取り出しを行うためのもので、図示されないがカメラ本体の後蓋の開閉状態を検出するためのスイッチである。後蓋スイッチ４１のオン状態が後蓋が開かれている状態であり、オフ状態が後蓋が閉じられている状態である。
【００２５】
巻き戻しスイッチ（ＲＷＳＷ）４２は、通常オフ状態であって、オン操作されることでフィルムの強制巻き戻しを実行するためのスイッチである。
【００２６】
ファーストレリーズスイッチ（１ＲＳＷ）４３は、通常オフ状態であって、オン操作されることで、露出準備動作である測距及び測光を開始させるためのスイッチである。また、セカンドレリーズスイッチ（２ＲＳＷ）４４は、通常オフ状態であって、オン操作されることで、露出動作を開始させるためのスイッチである。上記ファーストレリーズスイッチ４３とセカンドレリーズスイッチ４４とは２段スイッチを構成しており、ファーストレリーズスイッチ４３がオンされた後、セカンドレリーズスイッチ４４がオンされるようになっている。
【００２７】
ズームアップスイッチ（ＺＵＳＷ）４５は、通常オフ状態であって、オン操作されることで、望遠側へ焦点距離を変化させるようにズーミング駆動を開始させるためのスイッチである。また、ズームダウンスイッチ（ＺＤＳＷ）４６は、通常オフ状態であって、オン操作されることで、広角側へ焦点距離を変化させるようにズーミング駆動を開始させるためのスイッチである。
【００２８】
次に、図２及び図３のフローチャートを参照して、この発明の一実施の形態に係るカメラの動作について説明する。
【００２９】
電源が投入されることによって、本ルーチンの「ＰＷＲＳＴ」から動作が開始される。先ず、ステップＳ１にて、電源が投入されたことにより、本ルーチンがスタートされたことを表すフラグであるＦ＿ＲＳＴＲＱに１がセットされ、電源投入でスタートされた状態が記憶される。
【００３０】
電源投入以外の要因で本ルーチンがスタートされる場合は、「ＳＷＳＴＲ」から動作が開始され、ステップＳ２に於いて、上述したフラグＦ＿ＲＳＴＲＱに０がセットされる。これにより、電源投入によるスタートではないことが記憶される。
【００３１】
次に、ステップＳ３に於いて、初期設定が行われる。ここでは、上述したＣＰＵ１の初期化が行われ、図示されない各入出力ポート、ＲＡＭ等の初期化等が行われる。続くステップＳ４では、カメラ製造時の各種調整の際に、上述したＥＸＴ端子１９によって外部通信が行われる。
【００３２】
ステップＳ５では、ＥＥＰＲＯＭ１８に格納されているデータの読み出しが行われて、上記ＣＰＵ１内部の図示されないＲＡＭに格納される。そして、ステップＳ６に於いて、先に設定されているフラグＦ＿ＲＳＴＲＱの状態が判断される。
【００３３】
ここで、フラグＦ＿ＲＳＴＲＱが１である場合は、ステップＳ７へ移行して沈胴処理２が実行される。この沈胴処理２は、鏡枠がどのような状態にあるか判らない場合の沈胴処理である。ここでは、鏡枠の状態がわからないため、通常より遅い駆動速度で鏡枠が沈胴方向へ移動され、沈胴位置に達して図示されない機構系ストッパによってモータの回転がロックされたことが検出されることで、沈胴位置への駆動制御が行われている。つまり、鏡枠の位置情報の初期化が行われるための制御である。遅い駆動速度で移動されるのは、高速で機構系ストッパにぶつかるのを防ぐためである。
【００３４】
一方、上記ステップＳ６に於いて、フラグＦ＿ＲＳＴＲＱが０の場合は、電源投入ではない。つまり、正常なシーケンス実行中であるため、現在の鏡枠状態が判っている場合ということになる。この場合は、鏡枠の位置情報の初期化が行われる必要がないため、ステップＳ７は実行されずにステップＳ８へ移行する。
【００３５】
次に、ステップＳ８に於いて、後蓋スイッチ４１の状態が変化したか否かが判断される。ここで、後蓋スイッチ４１の状態が変化している場合はステップＳ９へ移行し、変化していない場合はステップＳ１３へ移行する。
【００３６】
ステップＳ９では、現在の後蓋スイッチ４１の状態がオフ状態であるか否かの判断が行われる。現在、後蓋スイッチ４１がオフ状態ではない場合は、ステップＳ１０へ移行する。この場合、後蓋スイッチ４１の状態が変化していて、更に現在の状態がオンであるので、後蓋スイッチ４１はオフからオンに変化したことになる。つまり、図示されない後蓋が閉の状態から開の状態になったことを示す。よって、ステップＳ１０では、“１”であるときに後蓋が閉状態であることを表すフラグＦＢＫＣＬＯＳに“０”がセットされる。これにより、開状態であることが記憶され、その後ステップＳ１３へ移行する。
【００３７】
上記ステップＳ９にて、後蓋スイッチ４１の状態がオフ状態であった場合は、ステップＳ１１へ移行する。そして、このステップＳ１１にて、上記フラグＦＢＫＣＬＯＳに“１”がセットされて、後蓋が閉状態であることが記憶される。
【００３８】
続いて、ステップＳ１２にて、後蓋が開状態から閉状態へと変化したときであるので、フィルムがセットされた可能性があるため、オートロード処理が行われる。その後、ステップＳ１３へ移行する。
【００３９】
ステップＳ１３では、フィルムの１駒巻き上げが必要であることを表すフラグＦ＿ＷＮＤＲＥＱの状態が判断される。ここで、上記フラグＦ＿ＷＮＤＲＥＱの状態が“１”である場合はステップＳ１４へ移行し、Ｆ＿ＷＮＤＲＥＱの状態が“０”の場合はステップＳ１７へ移行する。
【００４０】
ステップＳ１４では、フィルムの１駒巻き上げ動作が行われる。次いで、ステップＳ１５に於いて、上記ステップＳ１４での１駒巻き上げ中にフィルムエンドが検出されたか否かの判断が行われる。ここで、フィルムエンドが検出された場合はステップＳ１６へ移行し、フィルムエンドが検出されていない場合はステップＳ１７へ移行する。
【００４１】
ステップＳ１６では、フィルムエンドが検出された場合であるので、巻き戻し動作が必要となる。したがって、巻き戻しが必要であることを表すフラグＦ＿ＲＷＲＥＱに“１”がセットされる。その後、ステップＳ１７へ移行する。
【００４２】
ステップＳ１７に於いては、上記フラグＦ＿ＲＷＲＥＱの状態が判断される。このフラグＦ＿ＲＷＲＥＱが“１”の場合は、巻き戻しが必要な場合である。したがって、ステップＳ１８へ移行して、フィルムの巻き戻し処理が行われる。その後、ステップＳ１９へ移行する。一方、ステップＳ１７にてフラグＦ＿ＲＷＲＥＱが“０”の場合は、巻き戻しが不要の場合であるので、ステップＳ１８をスキップしてステップＳ１９へ移行する。
【００４３】
ステップＳ１９では、パワースイッチ４０の状態が判断される。ここで、パワースイッチ４０の状態がオフの場合は、パワーオフ状態であることを表す。したがって、ステップＳ２０へ移行して、鏡枠を収納状態に移動する沈胴処理１が行われる。ここでの沈胴処理１は現在の鏡枠位置がわかっているため、沈胴までの駆動量分繰り込み制御が行われる。このため、高速で移動し始めても機構系ストッパに高速でぶつかることはない。
【００４４】
続いて、ステップＳ２１にて、パワーオフ状態にするための処理であるＳＴＯＰ処理が実行される。ここでは、表示のオフ等の消費電流を最小にするための処理が行われて、ＣＰＵ１がＳＴＯＰ状態に移行される。
【００４５】
このストップ状態から復帰させるためには、パワースイッチ４０、後蓋スイッチ４１、巻き戻しスイッチ４２の操作により、電源投入以外の本ルーチンの先頭である「ＳＷＳＴＲ」ヘジャンプする。これにより、ＣＰＵ１の動作が再開される。
【００４６】
一方、上記ステップＳ１９に於いて、パワースイッチ４０がオン状態の場合はパワーオン状態を表す。したがって、ステップＳ２２へ移行する。そして、鏡枠を撮影状態であるワイド位置に移動させるセットアップ処理が行われる。次いで、ステップＳ２３にて、所定時間カメラ操作がされなかった場合にパワーオフ状態とさせるためのタイマであるオートパワーオフタイマがスタートされる。
【００４７】
次に、ステップＳ２４では、上記パワースイッチ４０、後蓋スイッチ４１、巻き戻しスイッチ４２、ファーストレリーズスイッチ４３、セカンドレリーズスイッチ４４、ズームアップスイッチ４５及びズームダウンスイッチ４６の各スイッチの状態変化、及び現在の状態の検出が行われる。
【００４８】
そして、ステップＳ２５では、ＬＣＤ１５が動作されて、必要な表示を行う表示オン処理が実行される。
【００４９】
次に、ステップＳ２６に於いて、パワースイッチ４０の状態が変化したか否かが判断される。ここで、パワースイッチ４０の状態が変化した場合は、電源投入以外の本ルーチンの先頭である「ＳＷＳＴＲ」ヘジャンプする。一方、上記ステップＳ２６にて、パワースイッチ４０の状態が変化していなかった場合は、ステップＳ２７へ移行する。
【００５０】
このステップＳ２７では、後蓋スイッチ４１の状態が変化したか否かの判断が行われる。ここで、後蓋スイッチ４１の状態が変化している場合は、電源投入以外の本ルーチンの先頭である「ＳＷＳＴＲ」ヘジャンプする。また、上記ステップＳ２７にて、後蓋スイッチ４１の状態が変化していない場合は、ステップＳ２８へ移行する。
【００５１】
ステップＳ２８では、巻き戻しスイッチ４２の状態が変化したか否かの判断が行われる。ここで、巻き戻しスイッチ４２の状態が変化している場合はステップＳ２９へ移行する。
【００５２】
ステップＳ２９に於いては、巻き戻しスイッチ４２の状態が、現在オン状態であるか否かの判断が行われる。ここで、巻き戻しスイッチ４２の状態がオン状態の場合はステップＳ３０へ移行する。
【００５３】
ステップＳ３０では、現在の後蓋の状態を表すフラグＦ＿ＢＫＣＬＯＳの状態が判断される。ここで、上記フラグＦ＿ＢＫＣＬＯＳが“１”の場合はステップＳ３１へ移行する。
【００５４】
上記フラグＦ＿ＢＫＣＬＯＳが“１”である場合は、後蓋が閉状態であることを表している。したがって、ここでは、後蓋が閉状態であって、且つ、巻き戻しスイッチ４２がオフ状態からオン状態に変化したときを表している。すなわち、巻き戻し処理が必要な場合であるので、ステップＳ３１では、巻き戻し処理が必要であることを表すフラグＦ＿ＲＷＲＥＱに“１”がセットされる。その後、上記ステップＳ１３へ移行する。
【００５５】
すると、上述したように、ステップＳ１７からステップＳ１９へ移行して、巻き戻し処理が実行される。
【００５６】
これに対し、上記ステップＳ２８に於いて巻き戻しスイッチ４２の状態が変化していない場合、ステップＳ２９に於いて巻き戻しスイッチ４２がオフの場合、または、ステップＳ３０に於いてフラグＦＢＫＣＬＯＳが“０”の場合は、巻き戻し処理を必要としないので、ステップＳ３２へ移行する。
【００５７】
ステップＳ３２では、上述したストロボ回路１６が動作されて、メインコンデンサ３７にストロボ発光用のエネルギーの充電が行われる。次いで、ステップＳ３３の外部通信では、上述したステップＳ２２と同様の処理が行われる。
【００５８】
そして、ステップＳ３４では、ファーストレリーズスイッチ４３がオフ状態からオン状態に変化したか否かが判断される。ここで、オフ状態からオン状態に変化した場合はステップＳ３５へ移行する。
【００５９】
このステップＳ３５では、露出準備動作及び露出動作を行うレリーズ処理が行われる。このレリーズ処理中に露出動作が行われた場合は、レリーズ処理中に巻き上げ動作が必要であることを表すフラグＦ＿ＷＮＤＲＥＱに“１”がセットされる。このフラグＦ＿ＷＮＤＲＥＱの状態に従った処理が実行されるにあたり、レリーズ処理実行後は上記ステップＳ１３へ移行する。そして、上述したように、フラグＦＷＮＤＲＥＱが“１”である場合に、ステップＳ１３からステップＳ１４へ移行して、フィルムの１駒巻き上げ動作が実行される。
【００６０】
一方、上記ステップＳ３４に於いて、ファーストレリーズスイッチ４３がオフ状態からオン状態に変化していない場合は、ステップＳ３６へ移行する。このステップＳ３６では、ズームアップスイッチ４５、ズームダウンスイッチ４６の何れかが、オフ状態からオン状態に変化したか否かが判断される。ここで、ズームアップスイッチ４５、ズームダウンスイッチ４６の何れかがオフ状態からオン状態に変化した場合は、ステップＳ３７へ移行する。
【００６１】
このステップＳ３７では、ズーミング駆動回路４が制御されて、ズーミング制御動作を行うズーム駆動処理が実行される。このズーム駆動処理実行後は、カメラ操作がなされた後であるので、上記ステップＳ２３に移行して、再び上述したオートパワーオフタイマがスタートされる。
【００６２】
上記ステップＳ３６に於いて、ズームアップスイッチ４５、ズームダウンスイッチ４６の何れも、オフ状態からオン状態に変化していない場合は、ステップＳ３８に移行する。そして、ステップＳ３８にて、上述したオートパワーオフタイマがチェックされて、オートパワーオフするための所定時間が経過したか否かが判断される。
【００６３】
ここで、オートパワーオフ時間に達していない場合は、カメラが何も操作されずに該ステップＳ３８に達したことになるので、上記ステップＳ２３へ移行する。そして、オートパワーオフタイマが再スタートされずにメインループを回ることになる。
【００６４】
また、ステップＳ３８に於いて、オートパワーオフ時間に達した場合は、ステップＳ３９へ移行して、カメラをパワーオフ状態にするための処理であるＳＴＯＰ処理が実行される。このとき、鏡枠の状態は変化させない。これは、従来のようにオートパワーオフ時に鏡枠を沈胴位置へ動かしてしまうと、使用者が操作しないにも係わらずカメラが自動的に動くことになり、使用者に違和感を感じさせてしまうという問題を解消するためである。但し、このＳＴＯＰ状態から復帰するまでの間の時間は、使用者に任されることになるため、どれだけの時間が経過するかは判らない。つまり、この間に鏡枠に外力が加わり鏡枠位置がずれてしまうことも考えられる。
【００６５】
そこで、パワースイッチ４０やその他のカメラ操作スイッチが操作されて、オートパワーオフのＳＴＯＰ状態から復帰するときには、「ＰＷＲＳＴ」に於いて、電源投入の場合の、本ルーチンのスタートである「ＰＷＲＳＴ」ヘジャンプし、上述したステップＳ７の沈胴処理２が実行されることで、鏡枠位置の初期化が行われる。
【００６６】
尚、上記第１の実施の形態に於いては、パワーオフ時は沈胴位置への駆動を行わず、オートパワーオフ時は沈胴駆動を行うようにしている。しかし、使用者に違和感を与えるという問題が少ないと考えられる場合には、何れの時にも沈胴駆動するようにしても良い。
【００６７】
また、上記沈胴位置は焦点距離を検出するための基準位置と同じにしているが、両者を異ならせても良いことは勿論である。この場合、パワーオフ状態から復帰する際には、沈胴位置から基準位置まで、一旦ズームレンズ鏡枠を移動してから、ワイド位置等の所定のズーム位置へ繰り出すようにすれば良い。
【００６８】
基準位置は、今までのパルス情報をリセットするためのものなので、沈胴端やワイド端、テレ端等のメカ端当て付け位置や、エンコーダ等の電気的に検出する位置でも良い。
【００６９】
尚、この発明の上記実施の形態によれば、以下の如き構成を得ることができる。
【００７０】
すなわち、
（１）  所定時間カメラ操作が行われないときに自動的に消費電流を最小とするオートパワーオフ機能を有するズームレンズ付きカメラに於いて、
上記消費電流を最小とするオートパワーオフ状態に電源供給を切り換えるオートパワーオフ手段と、
上記オートパワーオフ状態からパワーオン状態へ電源供給を切り換えるパワーオン手段と、
上記パワーオン手段によって上記パワーオン状態に切り換えられた際は、上記ズームレンズが搭載された鏡枠を一旦沈胴させてから撮影可能な所定のズーム位置へ繰り出すレンズ駆動手段と、
を具備することを特徴とするズームレンズ付きカメラ。
【００７１】
（２）  上記レンズ駆動手段は、上記オートパワーオフ状態からパワーオン状態へ切り換えられた際の上記鏡枠の沈胴速度を、上記オートパワーオフとは異なるパワーオフ操作により沈胴される場合の速度よりも遅く駆動することを特徴とする上記（１）に記載のズームレンズ付きカメラ。
【００７２】
【発明の効果】
以上のようにこの発明によれば、電源スイッチをオフにしたり、カメラが所定時間操作されないことでパワーオフ状態に移行し、その後復帰する際に鏡枠位置の初期化を行うので、パワーオフ中にどのように鏡枠位置が変化しても、不都合なく制御することができる。
【図面の簡単な説明】
【図１】この発明の一実施の形態に係るカメラの電気的構成を示すブロック図である。
【図２】この発明の一実施の形態に係るカメラのメインの動作について説明するフローチャートである。
【図３】この発明の一実施の形態に係るカメラのメインの動作について説明するフローチャートである。
【符号の説明】
１  ＣＰＵ、
２  測距回路、
３  測光回路、
４  ズーミング駆動回路、
５  ズーミング駆動信号検出回路、
６  フォーカシング駆動回路、
７  フォーカシング駆動信号検出回路、
８  シャッタ駆動回路、
９  シャッタ駆動信号検出回路、
１２  フィルム給送駆動回路、
１３  フィルム移動量検出回路、
１４  フィルム情報検出回路、
１５  ＬＣＤ、
１６  ストロボ回路、
１８  ＥＥＰＲＯＭ、
１９  ＥＸＴ端子、
３０  ズームモータ、
４０  パワースイッチ（ＰＷＳＷ）、
４１  後蓋スイッチ（ＢＫＳＷ）、
４２  巻き戻しスイッチ（ＲＷＳＷ）、
４３  ファーストレリーズスイッチ（１ＲＳＷ）、
４４  セカンドレリーズスイッチ（２ＲＳＷ）、
４５  ズームアップスイッチ（ＺＵＳＷ）、
４６  ズームダウンスイッチ（ＺＤＳＷ）。
【図１】
0004334809.tif 000002
【図２】
0004334809.tif 000003
【図３】
0004334809.tif 000004